(57)【特許請求の範囲】
【請求項１】
複数の照明器具と火災の発生を検出する火災センサーとを備える設備機器制御システムにおいて、
火災が発生していることを示す前記火災センサーの出力を火災発生出力とすること、
前記複数の照明器具を個別に制御する上位制御ユニットが設けられていること、
前記複数の照明器具が前記上位制御ユニットとの通信機能を有していること、
前記複数の照明器具の少なくとも１つを制御対象として前記上位制御ユニットにより行われる制御を上位照明制御とし、前記複数の照明器具の少なくとも１つを制御対象として前記複数の照明器具の少なくとも１つにより行われる制御を下位照明制御として、前記火災センサーの出力が前記火災発生出力のとき、前記上位照明制御または前記下位照明制御の少なくとも一方が行われること、
前記下位照明制御は、前記火災センサーの出力が前記火災発生出力のとき、前記複数の照明器具の少なくとも１つにおいて前記火災センサーの出力が受信され、前記火災センサーの出力を受信した照明器具により、前記下位照明制御が行われること
を特徴とする設備機器制御システム。
【請求項２】
請求項１に記載の設備機器制御システムにおいて、
前記複数の照明器具のそれぞれから送信された情報を受信する機能、および前記複数の照明器具のそれぞれに情報を送信する機能を備える伝送アダプターが前記上位制御ユニットに設けられていること
を特徴とする設備機器制御システム。
【請求項３】
請求項２に記載の設備システムにおいて、
前記上位照明制御は、前記火災センサーの出力が前記火災発生出力のとき、前記火災センサーの出力が前記伝送アダプターに送信され、前記伝送アダプターにより前記上位照明制御が行われること
を特徴とする設備機器制御システム。
【請求項４】
請求項２または請求項３に記載の設備機器制御システムにおいて、
前記伝送アダプターに接続される伝送線が設けられること、
前記火災センサーの出力を無線通信により受信する受信機が設けられること、
前記複数の照明器具の少なくとも１つおよび前記受信機が前記伝送線に接続されていること、
ならびに、前記火災センサーの出力が前記火災発生出力のとき、前記伝送アダプターにより前記上位照明制御が行われること
を特徴とする設備機器制御システム。
【請求項５】
請求項１〜４のいずれか一項に記載の設備機器制御システムにおいて、
前記複数の照明器具のうちの前記火災発生出力を出力している前記火災センサーに対応する照明器具を火元照明器具として、
前記火災センサーの出力が前記火災発生出力のとき、前記上位照明制御または前記下位照明制御の少なくとも一方において前記火元照明器具の制御が行われること
を特徴とする設備機器制御システム。
【請求項６】
請求項５に記載の設備機器制御システムにおいて、
複数の避難経路のうちの火災発生場所に対応する避難経路を特定避難経路とし、前記複数の照明器具のうちの同特定避難経路に対応する照明器具を特定照明器具として、
前記火災センサーの出力が前記火災発生出力のとき、前記上位照明制御または前記下位照明制御の少なくとも一方において前記特定照明器具の制御が行われること
を特徴とする設備機器制御システム。
【請求項７】
請求項１〜６のいずれか一項に記載の設備機器制御システムにおいて、
人の存在を検出する人感センサーが設けられていること、
ならびに、前記人感センサーの出力に基づいて前記火災センサーの検出機能が制御されること
を特徴とする設備機器制御システム。
【請求項８】
請求項７に記載の設備機器制御システムにおいて、
前記人感センサーの出力に基づいて前記火災センサーの検出感度が変更されること
を特徴とする設備機器制御システム。
【請求項９】
請求項８に記載の設備機器制御システムにおいて、
前記人感センサーの監視対象領域に人が存在していることを示す前記人感センサーの出力の範囲を存在推定範囲とし、前記人感センサーの出力が前記存在推定範囲外にある状態を無人状態とし、前記人感センサーの出力が前記存在推定範囲内にある状態を有人状態とし、現在の時刻が所定時間帯の時刻かつ前記無人状態のときの前記火災センサーの検出感度を検出感度Ｋ１とし、現在の時刻が前記所定時間帯の時刻かつ前記有人状態のときの前記火災センサーの検出感度を検出感度Ｋ２として、
前記検出感度Ｋ１が前記検出感度Ｋ２よりも高い感度に設定されること
を特徴とする設備機器制御システム。
【請求項１０】
請求項８または９に記載の設備機器制御システムにおいて、
前記人感センサーの監視対象領域に人が存在していることを示す前記人感センサーの出力の範囲を存在推定範囲とし、前記人感センサーの出力が前記存在推定範囲外にある状態を無人状態とし、前記人感センサーの出力が前記存在推定範囲内にある状態を有人状態とし、前記無人状態が所定時間以上にわたり継続されている状態を長期無人状態とし、前記無人状態が継続されている時間が前記所定時間未満の状態を短期無人状態とし、前記長期無人状態のときの前記火災センサーの検出感度を検出感度ＫＡとし、前記短期無人状態のときの前記火災センサーの検出感度を検出感度ＫＢとし、前記有人状態のときの前記火災センサーの検出感度を検出感度ＫＣとして、
前記検出感度ＫＡが前記検出感度ＫＢおよび前記検出感度ＫＣよりも高い感度に設定されていること
を特徴とする設備機器制御システム。
【請求項１１】
請求項７〜１０のいずれか一項に記載の設備機器制御システムにおいて、
前記人感センサーとして複数のセンサーが設けられていること、
ならびに、前記複数の人感センサーの出力に基づいて１つの前記火災センサーの検出機能が制御されること
を特徴とする設備機器制御システム。
【請求項１２】
請求項１〜１１のいずれか一項に記載の設備機器制御システムにおいて、
一定時間が経過する毎に前記火災センサーの診断が行われること
を特徴とする設備機器制御システム。
【請求項１３】
請求項１〜１２のいずれか一項に記載の設備機器制御システムにおいて、
前記複数の照明器具を一元的に管理するサーバーが前記上位制御ユニットに設けられていること
を特徴とする設備機器制御システム。
【請求項１４】
請求項１３に記載の設備機器制御システムにおいて、
前記複数の照明器具のそれぞれから送信された情報を受信する機能、および前記複数の照明器具のそれぞれに情報を送信する機能を備える伝送アダプターが前記上位制御ユニットに設けられていること、
ならびに、前記サーバーと前記伝送アダプターとの間で信号の変換を行う制御コントローラーが前記上位制御ユニットに設けられていること
を特徴とする設備機器制御システム。
【請求項１５】
請求項１４に記載の設備機器制御システムにおいて、
１つの前記制御コントローラーに対応する１または複数の前記伝送アダプター、およびこの伝送アダプターに対応する前記複数の照明器具の少なくとも１つを含むグループを単位制御グループとして、
複数の前記単位制御グループが設けられていること、
ならびに、前記複数の単位制御グループの制御コントローラーが前記サーバーに対して並列接続されていること
を特徴とする設備機器制御システム。
【発明の詳細な説明】
【技術分野】
【０００１】
本発明は、複数の照明器具と火災の発生を検出する火災センサーとを備える設備機器制御システムに関する。
【背景技術】
【０００２】
上記設備機器制御システムとしては、例えば特許文献１に記載のものが知られている。この設備機器制御システムには、複数のセルのそれぞれに複数の照明器具、火災センサーが設けられている。
【先行技術文献】
【特許文献】
【０００３】
【特許文献１】特開２００２−１６３００２号公報
【発明の概要】
【発明が解決しようとする課題】
【０００４】
ところで、火災発生時の被害をより小さいものにするため、火災センサーを備える設備機器制御システムに対しては、人に対してより適切に情報を提供することのできる機能が求められている。
【０００５】
一方、上記特許文献１の設備機器制御システムによれば、火災センサーにより火災の発生が検出されたとき、外部の火災受信機によりその旨が出力されるものの、これ以外には人に情報を提供する制御が行われない。
【０００６】
本発明はこのような実情に鑑みてなされたものであり、その目的は、火災発生時において人に対してより適切に情報を提供することのできる設備機器制御システムを提供することにある。
【課題を解決するための手段】
【０００７】
上記目的を達成するための手段を以下に示す。
・本発明の設備機器制御システムは、複数の照明器具と火災の発生を検出する火災センサーとを備える設備機器制御システムにおいて、火災が発生していることを示す前記火災センサーの出力を火災発生出力とすること、前記複数の照明器具を個別に制御する上位制御ユニットが設けられていること、前記複数の照明器具が前記上位制御ユニットとの通信機能を有していること、前記複数の照明器具の少なくとも１つを制御対象として前記上位制御ユニットにより行われる制御を上位照明制御とし、前記複数の照明器具の少なくとも１つを制御対象として前記複数の照明器具の少なくとも１つにより行われる制御を下位照明制御として、前記火災センサーの出力が前記火災発生出力のとき、前記上位照明制御または前記下位照明制御の少なくとも一方が行われること、前記下位照明制御は、前記火災センサーの出力が前記火災発生出力のとき、前記複数の照明器具の少なくとも１つにおいて前記火災センサーの出力が受信され、前記火災センサーの出力を受信した照明器具により、前記下位照明制御が行われることを特徴としている。
【０００８】
・この設備機器制御システムにおいては、前記複数の照明器具のそれぞれから送信された情報を受信する機能、および前記複数の照明器具のそれぞれに情報を送信する機能を備える伝送アダプターが前記上位制御ユニットに設けられていることが好ましい。
【０００９】
・この設備機器制御システムにおいては、前記上位照明制御は、前記火災センサーの出力が前記火災発生出力のとき、前記火災センサーの出力が前記伝送アダプターに送信され、前記伝送アダプターにより前記上位照明制御が行われることが好ましい。
【００１０】
・この設備機器制御システムにおいては、前記伝送アダプターに接続される伝送線が設けられること、前記火災センサーの出力を無線通信により受信する受信機が設けられること、前記複数の照明器具の少なくとも１つおよび前記受信機が前記伝送線に接続されていること、ならびに、前記火災センサーの出力が前記火災発生出力のとき、前記伝送アダプターにより前記上位照明制御が行われることが好ましい。
【００１２】
・この設備機器制御システムにおいては、前記複数の照明器具のうちの前記火災発生出力を出力している前記火災センサーに対応する照明器具を火元照明器具として、前記火災センサーの出力が前記火災発生出力のとき、前記上位照明制御または前記下位照明制御の少なくとも一方において前記火元照明器具の制御が行われることが好ましい。
【００１３】
・この設備機器制御システムにおいては、複数の避難経路のうちの火災発生場所に対応する避難経路を特定避難経路とし、前記複数の照明器具のうちの同特定避難経路に対応する照明器具を特定照明器具として、前記火災センサーの出力が前記火災発生出力のとき、前記上位照明制御または前記下位照明制御の少なくとも一方において前記特定照明器具の制御が行われることが好ましい。
【００１４】
・この設備機器制御システムにおいては、人の存在を検出する人感センサーが設けられていること、ならびに、前記人感センサーの出力に基づいて前記火災センサーの検出機能が制御されることが好ましい。
【００１５】
・この設備機器制御システムにおいては、前記人感センサーの出力に基づいて前記火災センサーの検出感度が変更されることが好ましい。
・この設備機器制御システムにおいては、前記人感センサーの監視対象領域に人が存在していることを示す前記人感センサーの出力の範囲を存在推定範囲とし、前記人感センサーの出力が前記存在推定範囲外にある状態を無人状態とし、前記人感センサーの出力が前記存在推定範囲内にある状態を有人状態とし、現在の時刻が所定時間帯の時刻かつ前記無人状態のときの前記火災センサーの検出感度を第１検出感度とし、現在の時刻が前記所定時間帯の時刻かつ前記有人状態のときの前記火災センサーの検出感度を第２検出感度として、前記第１検出感度が前記第２検出感度よりも高い感度に設定されることが好ましい。
【００１６】
・この設備機器制御システムにおいては、前記人感センサーの監視対象領域に人が存在していることを示す前記人感センサーの出力の範囲を存在推定範囲とし、前記人感センサーの出力が前記存在推定範囲外にある状態を無人状態とし、前記人感センサーの出力が前記存在推定範囲内にある状態を有人状態とし、前記無人状態が所定時間以上にわたり継続されている状態を長期無人状態とし、前記無人状態が継続されている時間が前記所定時間未満の状態を短期無人状態とし、前記長期無人状態のときの前記火災センサーの検出感度を検出感度ＫＡとし、前記短期無人状態のときの前記火災センサーの検出感度を検出感度ＫＢとし、前記有人状態のときの前記火災センサーの検出感度を検出感度ＫＣとして、前記検出感度ＫＡが前記検出感度ＫＢおよび前記検出感度ＫＣよりも高い感度に設定されていることが好ましい。
【００１７】
・この設備機器制御システムにおいては、前記人感センサーとして複数のセンサーが設けられていること、ならびに、前記複数の人感センサーの出力に基づいて１つの前記火災センサーの検出機能が制御されることが好ましい。
【００１８】
・この設備機器制御システムにおいては、一定時間が経過する毎に前記火災センサーの診断が行われることが好ましい。
・この設備機器制御システムにおいては、前記複数の照明器具を一元的に管理するサーバーが前記上位制御ユニットに設けられていることが好ましい。
【００１９】
・この設備機器制御システムにおいては、前記複数の照明器具のそれぞれから送信された情報を受信する機能、および前記複数の照明器具のそれぞれに情報を送信する機能を備える伝送アダプターが前記上位制御ユニットに設けられていること、ならびに、前記サーバーと前記伝送アダプターとの間で信号の変換を行う制御コントローラーが前記上位制御ユニットに設けられていることが好ましい。
【００２０】
・この設備機器制御システムにおいては、１つの前記制御コントローラーに対応する１または複数の前記伝送アダプター、およびこの伝送アダプターに対応する前記複数の照明器具の少なくとも１つを含むグループを単位制御グループとして、複数の前記単位制御グループが設けられていること、ならびに、前記複数の単位制御グループの制御コントローラーが前記サーバーに対して並列接続されていることが好ましい。
【発明の効果】
【００２１】
本発明によれば、火災発生時において人に対してより適切に情報を提供することのできる設備機器制御システムを提供することができる。
【図面の簡単な説明】
【００２２】
【図１】本発明の第１実施形態の設備機器制御システムについて、その全体構成を模式的に示す模式図。
【図２】同実施形態の制御ユニットの構成を示すブロック図。
【図３】同実施形態の伝送アダプターの構成を示すブロック図。
【図４】同実施形態の照明器具の構成を示すブロック図。
【図５】同実施形態の火災警報器の構成を示すブロック図。
【図６】同実施形態のサーバーにより実行される「火災時個別点灯制御」について、その処理手順を示すフローチャート。
【図７】同実施形態のサーバーにより実行される「火元照明制御」について、その実行に基づく設備機器制御システムの各構成要素の動作を示すシーケンス図。
【図８】同実施形態のサーバーにより実行される「特定照明制御」について、その実行に基づく設備機器制御システムの各構成要素の動作を示すシーケンス図。
【図９】同実施形態の設備機器について、オフィスの部屋においての配置を模式的に示す模式図。
【図１０】同実施形態のサーバーにより実行される「感度変更制御」について、その処理手順を示すフローチャート。
【図１１】同実施形態のサーバーにより実行される「感度変更制御」について、その実行に基づく設備機器制御システムの各構成要素の動作を示すシーケンス図。
【図１２】同実施形態のサーバーにより実行される「警報器診断制御」について、その処理手順を示すフローチャート。
【図１３】同実施形態のサーバーにより実行される「警報器診断制御」について、その実行に基づく設備機器制御システムの各構成要素の動作を示すシーケンス図。
【図１４】本発明の第２実施形態の設備機器制御システムについて、その構成の一部を模式的に示す模式図。
【図１５】同実施形態の火災警報器の構成を示すブロック図。
【図１６】同実施形態の受信機の構成を示すブロック図。
【図１７】同実施形態の伝送アダプターにより実行される「火災時個別点灯制御」について、その実行に基づく設備機器制御システムの各構成要素の動作を示すシーケンス図。
【図１８】本発明の第３実施形態の設備機器制御システムについて、その構成の一部を模式的に示す模式図。
【図１９】同実施形態の照明器具の構成を示すブロック図。
【図２０】同実施形態の照明器具により実行される「火災時個別点灯制御」について、その実行に基づく設備機器制御システムの各構成要素の動作を示すシーケンス図。
【発明を実施するための形態】
【００２３】
（第１実施形態）
図１〜図１３を参照して、本発明の第１実施形態について説明する。
本実施形態では、照明器具および火災警報器を制御する設備機器制御システムとして本発明を具体化した一例を示している。この設備機器制御システムは、オフィスビルの各部屋に設置された設備機器を備えるとともに、これら設備機器を一元的に監視および制御するシステムとして構成されている。
【００２４】
図１を参照して、設備機器制御システム１の構成について説明する。
設備機器制御システム１には、複数の設備機器すなわち、複数の照明器具４０、複数の火災警報器７０、複数の照明スイッチ５０、および複数の人感センサー６０が設けられている。またこの他に、これら設備機器を個別に制御する上位制御ユニット１０が設けられている。
【００２５】
上位制御ユニット１０には、１つのサーバー１１、１つのパーソナルコンピューター１２、１つの上位コントローラー１３、複数の制御コントローラー２０、および複数の伝送アダプター３０が設けられている。なお、設備機器制御システム１の制御系統において、サーバー１１が最上位の機器に該当し、その下流側に各機器が順に接続されている。
【００２６】
サーバー１１は、設備機器制御システム１の全体を統括して管理する。サーバー１１には、各設備機器に割り当てられたアドレスとオフィスビル内の間取りとが対応付けられた設備マップ、およびオフィスビルにおいての各場所を火災発生場所と仮定した各場合のそれぞれ対応した複数の避難経路が記憶されている。
【００２７】
パーソナルコンピューター１２は、各照明器具４０および各火災警報器７０の動作状況、ならびに各照明器具４０および各火災警報器７０の故障の有無をはじめとして、各設備機器の状況をモニタするブラウザ機能を有している。
【００２８】
設備機器制御システム１においては、複数の単位制御グループＵおよび複数の伝送グループＡが設けられている。上位コントローラー１３には、複数の単位制御グループＵが並列に接続されている。各制御コントローラー２０には、複数の伝送グループＡが並列に接続されている。
【００２９】
単位制御グループＵは、１つの制御コントローラー２０、およびこの制御コントローラー２０に対応する複数の伝送グループＡにより構成されている。伝送グループＡは、１つの伝送アダプター３０、この伝送アダプター３０に対応する複数の照明器具４０、およびこの伝送アダプター３０に対応する複数の火災警報器７０により構成されている。
【００３０】
各機器の接続環境について説明する。
パーソナルコンピューター１２およびサーバー１１と上位コントローラー１３とは、伝送線Ｌ１により互いに接続されている。また、パーソナルコンピューター１２およびサーバー１１と上位コントローラー１３との間においては、Ｅｔｈｅｒｎｅｔ（登録商標）プロトコルに基づくシリアル通信により信号の送受信が行われる。
【００３１】
上位コントローラー１３と各制御コントローラー２０とは、伝送線Ｌ２により互いに接続されている。また、上位コントローラー１３と各制御コントローラー２０との間においては、Ｅｔｈｅｒｎｅｔ（登録商標）プロトコルに基づくシリアル通信により信号の送受信が行われる。
【００３２】
制御コントローラー２０と各照明スイッチ５０および各人感センサー６０とは、伝送線Ｌ３により互いに接続されている。また、制御コントローラー２０と各照明スイッチ５０および各人感センサー６０との間においては、多重伝送方式により信号の送受信が行われる。
【００３３】
制御コントローラー２０と各伝送アダプター３０とは、伝送線Ｌ４によりバス接続されている。また、制御コントローラー２０と伝送アダプター３０との間においては、低速電力線搬送通信により信号の送受信が行われる。
【００３４】
伝送アダプター３０と各照明器具４０および各火災警報器７０とは、伝送線Ｌ５により互いに接続されている。また、伝送線Ｌ５により直列に接続された複数の照明器具４０および１つの火災警報器７０の系統を単位設備系統としたとき、１つの伝送アダプター３０には複数の単位設備系統が並列に接続されている。また、伝送アダプター３０と各照明器具４０との間においては、ＤＡＬＩ（Ｄｉｇｉｔａｌ  Ａｄｄｒｅｓｓａｂｌｅ  Ｌｉｇｈｔｉｎｇ  Ｉｎｔｅｒｆａｃｅ）規格に基づく通信により信号の送受信が行われる。
【００３５】
図２を参照して、制御コントローラー２０の構成について説明する。
制御コントローラー２０には、信号処理部２１、電力線搬送通信部２２、多重伝送通信部２３、シリアル通信部２４、記憶部２５、および電源回路部２６が設けられている。
【００３６】
信号処理部２１は、入力された信号に基づいて各種の制御を行う。電力線搬送通信部２２は、伝送線Ｌ４により接続された伝送アダプター３０との間で電力線搬送通信方式により信号の送受信を行う。多重伝送通信部２３は、伝送線Ｌ３により接続された各照明スイッチ５０および各人感センサー６０との間で多重伝送方式により信号の送受信を行う。シリアル通信部２４は、伝送線Ｌ２により接続された上位コントローラー１３および他の制御コントローラー２０との間でＥｔｈｅｒｎｅｔ（登録商標）プロトコルに基づくシリアル通信を行う。
【００３７】
記憶部２５には、各照明スイッチ５０および各人感センサー６０に個別に割り当てられたアドレスと、各照明器具４０および各火災警報器７０に個別に割り当てられたアドレスとが記憶されている。各照明スイッチ５０および各人感センサー６０のアドレスと各照明器具４０および各火災警報器７０のアドレスとは、互いに対応付けられている。
【００３８】
図３を参照して、伝送アダプター３０の構成について説明する。
伝送アダプター３０には、信号処理部３１、ＤＡＬＩ通信部３２、電力線搬送通信部３３、および記憶部３４が設けられている。
【００３９】
ＤＡＬＩ通信部３２は、伝送線Ｌ５により接続された各単位設備系統の照明器具４０および火災警報器７０との間でＤＡＬＩ規格に基づく通信により信号の送受信を行う。電力線搬送通信部３３は、伝送線Ｌ４により接続された制御コントローラー２０との間で電力線搬送通信方式により信号の送受信を行う。
【００４０】
電力線搬送通信部３３と制御コントローラー２０との間においては、制御コントローラー２０から各単位設備系統の照明器具４０および火災警報器７０に送信される情報が１つの伝送情報ＤＢに含められる。また、各単位設備系統の照明器具４０および火災警報器７０から制御コントローラー２０に送信される情報が１つの伝送情報ＤＢに含められる。
【００４１】
記憶部３４には、制御コントローラー２０のアドレス、対応する伝送アダプター３０のアドレス、ならびに対応する各単位設備系統の照明器具４０および火災警報器７０のアドレスが記憶されている。
【００４２】
信号処理部３１は、所定の受信期間が経過する毎に、同受信期間においてＤＡＬＩ通信部３２が受信した各単位設備系統の情報を含めて１つの伝送情報ＤＢを生成する。そして、伝送情報ＤＢを電力線搬送通信部３３から制御コントローラー２０に送信する。
【００４３】
また信号処理部３１は、電力線搬送通信部３３が制御コントローラー２０からの伝送情報ＤＢを受信したとき、この伝送情報ＤＢに含まれる各照明器具４０および各火災警報器７０宛ての情報を取り出す。そして、取り出した情報をＤＡＬＩ通信部３２から同情報に対応する各照明器具４０および各火災警報器７０に送信する。
【００４４】
図４を参照して、照明器具４０の構成について説明する。
照明器具４０には、信号処理部４１、ランプ４２、点灯回路部４３、ＤＡＬＩ通信部４４、および電源回路部４５が設けられている。
【００４５】
信号処理部４１は、入力された信号に基づいて各種の制御を行う。同制御の一例として、照明器具４０の点灯状態および動作状況を示す情報を生成し、これを伝送アダプター３０に送信するものが挙げられる。ランプ４２は、蛍光ランプにより構成されている。点灯回路部４３は、ランプ４２を点灯させるバラストを有する。ＤＡＬＩ通信部４４は、伝送アダプター３０との間でＤＡＬＩ規格に基づく通信により信号の送受信を行う。電源回路部４５は、商用電源ＡＣからの交流電力を直流電力に変換して内部回路に供給する。
【００４６】
照明器具４０により行われる情報通信の一例を以下に示す。
信号処理部４１において本照明器具４０の消費電力を算出し、ＤＡＬＩ通信部４４を介してこの消費電力の情報を伝送アダプター３０に送信する。伝送アダプター３０は、この情報を制御コントローラー２０および上位コントローラー１３を介してパーソナルコンピューター１２に送信する。パーソナルコンピューター１２は、各照明器具４０から送信された情報をブラウザすることにより、管理者に対して各照明器具４０の消費電力情報を提供する。
【００４７】
図５を参照して、火災警報器７０の構成について説明する。
火災警報器７０には、信号処理部７１、火災センサー７２、火災報知部７３、ＤＡＬＩ通信部７４、および電源（図示略）が設けられている。
【００４８】
信号処理部７１は、入力された信号に基づいて各種の制御を行う。火災センサー７２としては、煙検出式のものが設けられている。ＤＡＬＩ通信部７４は、伝送アダプター３０との間でＤＡＬＩ規格に基づく通信により信号の送受信を行う。
【００４９】
ここで、火災が発生していることを示す火災センサー７２の出力を「火災発生出力」としたとき、火災センサー７２は次のように動作する。すなわち、火災センサー７２の出力が火災発生出力のとき、火災センサー７２は、火災が発生していることを示す火災検出情報ＤＦを伝送アダプター３０に送信する。伝送アダプター３０に送信された火災検出情報ＤＦは、制御コントローラー２０および上位コントローラー１３を介してサーバー１１に送信される。なお、火災発生出力は、火災センサー７２の出力に対する所定の範囲としてサーバー１１内に予め記憶されている。
【００５０】
図２を参照して、照明スイッチ５０の構成について説明する。
照明スイッチ５０としては、照明器具４０の点灯状態をオンおよびオフの間で切り替えるスイッチが設けられている。この照明スイッチ５０には、多重伝送通信部としてのスイッチ通信部５１が設けられている。スイッチ通信部５１は、トリガ入力としてのスイッチ５０の動作状態の切り替えに基づいて、トリガ入力に対応した監視情報ＤＭを制御コントローラー２０の多重伝送通信部２３に送信する。
【００５１】
人感センサー６０の構成について説明する。
人感センサー６０としては、監視対象領域内の人体から放射される熱線に基づいて人の存在を検出する焦電型赤外線センサーが設けられている。この人感センサー６０には、多重伝送通信部としての人感センサー通信部６１が設けられている。
【００５２】
ここで、人感センサー６０の監視対象領域に人が存在していることを示す人感センサー６０の出力の範囲を「存在推定範囲」とする。また、人感センサー６０の出力が存在推定範囲外にある状態を「無人状態」とし、人感センサー６０の出力が存在推定範囲内にある状態を「有人状態」とする。
【００５３】
人感センサー通信部６１は、トリガ入力としての人感センサー６０の検出結果の変化に基づいて、トリガ入力に対応した監視情報ＤＭを制御コントローラー２０の多重伝送通信部２３に送信する。すなわち、人の活動状態が有人状態から無人状態に変化したとき、および人の活動状態が無人状態から有人状態に変化したとき、その旨を示す監視情報ＤＭを制御コントローラー２０に送信する。
【００５４】
図２〜図４を参照して、照明器具４０の制御について説明する。
図２に示される制御コントローラー２０の信号処理部２１は、各通信部５１，６１から送信されたトリガ入力としての監視情報ＤＭを多重伝送通信部２３が受信したとき、監視情報ＤＭに基づいて各照明器具４０に対する制御情報を生成する。具体的には、監視情報ＤＭに対応した照明器具４０を点灯するための個別点灯制御情報ＤＬを生成し、この個別点灯制御情報ＤＬを電力線搬送通信部２２から伝送アダプター３０に送信する。
【００５５】
個別点灯制御情報ＤＬの送信先となる照明器具４０は、監視情報ＤＭの送信元である各通信部５１，６１と予め対応関係が設定されている。監視情報ＤＭの送信元である各通信部５１，６１に対して複数の照明器具４０が対応付けられている場合、各照明器具４０宛ての個別点灯制御情報ＤＬを含む１つの伝送情報ＤＢが信号処理部２１により生成される。そして、この伝送情報ＤＢが電力線搬送通信部２２から各伝送アダプター３０に対して送信される。
【００５６】
図３に示される伝送アダプター３０の信号処理部３１は、制御コントローラー２０から送信された伝送情報ＤＢを電力線搬送通信部３３が受信したとき、この伝送アダプター３０の下流側に接続された照明器具４０のアドレスが同伝送情報ＤＢに含まれているか否かを判定する。そして、照明器具４０のアドレスが含まれている旨判定したときには、伝送情報ＤＢから照明器具４０宛ての個別点灯制御情報ＤＬを取り出し、この個別点灯制御情報ＤＬをＤＡＬＩ通信部３２から対応する照明器具４０に送信する。
【００５７】
図４に示される照明器具４０の信号処理部４１は、伝送アダプター３０からこの照明器具４０宛てに送信された個別点灯制御情報ＤＬをＤＡＬＩ通信部４４が受信したとき、個別点灯制御情報ＤＬに基づいて点灯回路部４３の出力を制御する。すなわち、個別点灯制御情報ＤＬに基づいてランプ４２の点灯状態を変化させる。
【００５８】
図１を参照して、照明器具４０の制御に関する一連の流れについて説明する。
照明スイッチ５０がオフからオンに切り替えられたとき、または照明スイッチ５０がオンからオフに切り替えられたとき、照明スイッチ５０から制御コントローラーに２０に監視情報ＤＭが送信される。そして、制御コントローラー２０において個別点灯制御情報ＤＬが生成された後、制御コントローラー２０から伝送アダプター３０に個別点灯制御情報ＤＬを含む伝送情報ＤＢが送信される。
【００５９】
次に、伝送アダプター３０において伝送情報ＤＢから個別点灯制御情報ＤＬが取り出された後、この個別点灯制御情報ＤＬが伝送アダプター３０から照明器具４０に送信される。そして、照明器具４０がこの個別点灯制御情報ＤＬを受信したとき、同照明器具４０が個別点灯制御情報ＤＬに対応して動作する。すなわち、監視情報ＤＭおよび個別点灯制御情報ＤＬが照明スイッチ５０のオフからオンへの操作に基づく情報のとき、ランプ４２が点灯される。また、監視情報ＤＭおよび個別点灯制御情報ＤＬが照明スイッチ５０のオンからオフへの操作に基づく情報のとき、ランプ４２が消灯される。
【００６０】
人感センサー６０の出力に基づく状態が無人状態から有人状態に変化したとき、または人感センサー６０の出力に基づく状態が有人状態から無人状態に変化したとき、人感センサー６０から制御コントローラーに２０に監視情報ＤＭが送信される。そして、制御コントローラー２０において個別点灯制御情報ＤＬが生成された後、制御コントローラー２０から伝送アダプター３０に個別点灯制御情報ＤＬを含む伝送情報ＤＢが送信される。
【００６１】
次に、伝送アダプター３０において伝送情報ＤＢから個別点灯制御情報ＤＬが取り出された後、この個別点灯制御情報ＤＬが伝送アダプター３０から照明器具４０に送信される。そして、照明器具４０がこの個別点灯制御情報ＤＬを受信したとき、同照明器具４０が個別点灯制御情報ＤＬに対応して動作する。すなわち、監視情報ＤＭおよび個別点灯制御情報ＤＬが無人状態から有人状態への変化に基づく情報のとき、ランプ４２が点灯される。また、監視情報ＤＭおよび個別点灯制御情報ＤＬが有人状態から無人状態への変化に基づく情報のとき、ランプ４２が消灯される。
【００６２】
図６〜図１３を参照して、サーバー１１により行われる各制御について説明する。
サーバー１１は、火災検出情報ＤＦを受信しているときを「火災発生時」として認識し、また火災検出情報ＤＦを受信していないときを「通常環境時」として認識し、認識した状況に応じて以下の（Ａ）〜（Ｃ）の制御を行う。
（Ａ）「火災時個別点灯制御（図６）」。
（Ｂ）「感度変更制御（図１０）」。
（Ｃ）「警報器診断制御（図１２）」。
【００６３】
「火災時個別点灯制御」は、火災発生時において照明器具４０の制御により人に対して火災に関する情報を提供するための制御として行われる。この「火災時個別点灯制御」においては、照明器具４０により火元を人に知らせるための「火元照明制御」、および照明器具４０の制御により避難経路を人に知らせるための「特定照明制御」が行われる。
【００６４】
「感度変更制御」は、通常環境時において各火災センサー７２の検出感度を人の活動状態に応じて変更するための制御として行われる。この制御では、各火災センサー７２の検出感度を個別に変更する。
【００６５】
「警報器診断制御」は、通常環境時において各火災センサー７２の動作に異常が生じていることを検出するための制御として、すなわち火災警報器７０が上流の機器との間で正常に通信しているか否かを判定するための制御として行われる。この制御では、一定時間が経過する毎に各火災センサー７２の動作を個別に診断する。
【００６６】
図６を参照して、「火災時個別点灯制御」の内容について説明する。
以下では、複数の避難経路のうちの火災発生場所に対応する避難経路を「特定避難経路」とする。また、特定避難経路に対応する１または複数の照明器具４０を「特定照明器具４０Ｒ（図８参照）」とする。また、出力が発生推定範囲内にある火災センサー７２に対応した照明器具４０を「火元照明器具４０Ｆ（図７参照）」とする。
【００６７】
ステップＳ１１においては、火災検出情報ＤＦを受信したか否かを判定する。火災検出情報ＤＦを受信していない旨判定したとき、所定の制御周期が経過した後に再びステップＳ１１の判定処理を行う。一方、火災検出情報ＤＦを受信した旨判定したとき、ステップＳ１２〜Ｓ１４の処理に移行する。
【００６８】
ステップＳ１２においては、火元照明器具４０Ｆを制御するための「火元照明制御」を行う。「火元照明制御」では、火元照明器具４０Ｆに対する火元照明制御情報ＤＥを生成する。火元照明制御情報ＤＥには、火元照明器具４０Ｆのランプ４２を点滅させるための情報が含まれている。
【００６９】
ステップＳ１３においては、特定照明器具４０Ｒを制御するための「特定照明制御」を行う。「特定照明制御」では、特定照明器具４０Ｒに対する特定照明制御情報ＤＲを生成する。特定照明制御情報ＤＲには、特定照明器具４０Ｒのランプ４２を点灯させるための情報が含まれている。
【００７０】
ステップＳ１４においては、ステップＳ１２において生成した火元照明制御情報ＤＥ、およびステップＳ１３において生成した特定照明制御情報ＤＲのそれぞれを対応する照明器具４０に送信する。
【００７１】
図７を参照して、「火元照明制御」の流れについて説明する。
火災警報器７０は、火災センサー７２により火災を検出したとき、自身のアドレスを含む火災検出情報ＤＦを伝送アダプター３０に送信する。伝送アダプター３０は、受信した火災検出情報ＤＦを制御コントローラー２０に送信する。制御コントローラー２０は、受信した火災検出情報ＤＦを上位コントローラー１３に送信する。上位コントローラー１３は、受信した火災検出情報ＤＦをサーバー１１に送信する。
【００７２】
サーバー１１は、受信した火災検出情報ＤＦに含まれる火災警報器７０のアドレスと設備マップとに基づいて、火元照明器具４０Ｆを設定する。すなわち、火災を検出した火災警報器７０の監視対象領域を特定し、この監視対象領域に対応した照明領域を有する照明器具４０を火元照明器具４０Ｆとして設定する。そして、設定した火元照明器具４０Ｆに対する火元照明制御情報ＤＥを生成し、この情報ＤＥを上位コントローラー１３に送信する。
【００７３】
上位コントローラーは、受信した火元照明制御情報ＤＥを制御コントローラー２０に送信する。制御コントローラー２０は、受信した火元照明制御情報ＤＥを含む伝送情報ＤＢを生成し、この伝送情報ＤＢを伝送アダプター３０に送信する。伝送アダプター３０は、受信した伝送情報ＤＢに自身の下流の照明器具４０のアドレスが含まれている旨判定したとき、伝送情報ＤＢから火元照明制御情報ＤＥを取り出し、この情報ＤＥを対応する火元照明器具４０Ｆに送信する。火元照明器具４０Ｆは、受信した火元照明制御情報ＤＥに基づいてランプ４２を点滅させる。なお、ランプ４２の点滅は、管理者により点滅を停止するための端末操作が行われるまで継続される。
【００７４】
図８を参照して、「特定照明制御」の流れについて説明する。
火災警報器７０は、火災センサー７２により火災を検出したとき、自身のアドレスを含む火災検出情報ＤＦを伝送アダプター３０に送信する。伝送アダプター３０は、受信した火災検出情報ＤＦを制御コントローラー２０に送信する。制御コントローラー２０は、受信した火災検出情報ＤＦを上位コントローラー１３に送信する。上位コントローラー１３は、受信した火災検出情報ＤＦをサーバー１１に送信する。
【００７５】
サーバー１１は、受信した火災検出情報ＤＦに含まれる火災警報器７０のアドレスと設備マップとに基づいて、特定避難経路および特定照明器具４０Ｒを設定する。そして、設定した特定照明器具４０Ｒに対する特定照明制御情報ＤＲを生成し、この情報ＤＲを上位コントローラー１３に送信する。
【００７６】
上位コントローラー１３は、受信した特定照明制御情報ＤＲを制御コントローラー２０に送信する。制御コントローラー２０は、受信した特定照明制御情報ＤＲを含む伝送情報ＤＢを伝送アダプター３０に送信する。伝送アダプター３０は、受信した伝送情報ＤＢに自身の下流の照明器具４０のアドレスが含まれている旨判定したとき、伝送情報ＤＢから特定照明制御情報ＤＲを取り出し、この情報ＤＲを対応する特定照明器具４０Ｒに送信する。特定照明器具４０Ｒは、受信した特定照明制御情報ＤＲに基づいてランプ４２を点灯させる。なお、ランプ４２の点滅は、管理者により点滅を停止するための端末操作が行われるまで継続される。
【００７７】
図９を参照して、「火災時個別点灯制御」の具体的な実行態様について説明する。
設備機器制御システム１を有するオフィスビルにおいて、１つの部屋１００には合計３２台の照明器具４０のグループが設けられている。
【００７８】
この照明器具４０のグループにおいては、奥行方向において隣り合う２つの照明器具４０により１つの小グループＧが構成されている。また、間口方向において一列に配置された４つの小グループＧ、すなわち第１小グループＧ１、第２小グループＧ２、第３小グループＧ３、および第４小グループＧ４により１つの大グループＨが構成されている。また、奥行方向において４つの大グループＨ、すなわち第１大グループＨ１、第２大グループＨ２、第３大グループＨ３、および第４大グループＨ４が並べられている。
【００７９】
人感センサー６０は、１つの大グループＨを構成する各照明器具４０の照明領域、すなわち各小グループＧ１〜Ｇ４の各照明器具４０の照明領域を監視対象領域として、各大グループＨに１つ設けられている。また、火災センサー７２も人感センサー６０と同様に、１つの大グループＨを構成する各照明器具４０の照明領域を監視対象領域として、各大グループＨに１つ設けられている。
【００８０】
制御コントローラー２０の記憶部２５には、各小グループＧに属する照明器具４０、火災警報器７０、および人感センサー６０のアドレス、ならびに各大グループＨに属する照明器具４０、火災警報器７０、および人感センサー６０のアドレスが登録されている。
【００８１】
ここで、第２大グループＨ２に属する火災センサー７２により火災が検出された状況を例として、図６の「火災時個別点灯制御」の実行態様の一例について説明する。
第２大グループＨ２内の第２小グループＧ２の照明領域において火災が発生したとき、第２大グループＨ２の照明領域を監視対象領域とする火災警報器７０からサーバー１１に火災検出情報ＤＦが送信される。
【００８２】
サーバー１１は、火災センサー７２から火災検出情報ＤＦを受信したとき、同火災センサー７２に対応する照明器具４０を火元照明器具４０Ｆとして設定し、設定した同照明器具４０Ｆに対して火元照明制御情報ＤＥを送信する。ここでは、複数の照明器具４０のうち、火災を検出した火災センサー７２の最も近くにある照明器具４０、すなわち第２大グループＨ２の第２小グループＧ２および第３小グループＧ３に属する照明器具４０が火元照明器具４０Ｆとして設定される。
【００８３】
上位制御ユニット１０は、火災検出情報ＤＦを送信した火災警報器７０の監視対象領域を火災発生場所として特定し、この火災発生場所からの避難に適した特定避難経路を予め記憶されている複数の避難経路のなかから選択する。そして、この特定避難経路上にある小グループＧの照明器具４０を特定照明器具４０Ｒとして設定し、同照明器具４０Ｒに対して特定照明制御情報ＤＲを送信する。特定照明器具４０Ｒは、受信した特定照明制御情報ＤＲに基づいてランプを点灯させる。
【００８４】
例えば、部屋１００の出入口が第４大グループＨ４の第４小グループＧ４付近にある場合には、出入口付近の各照明器具４０、すなわち第４大グループＨ４の第３小グループＧ３および第４小グループＧ４、ならびに第３大グループＨ３の第４小グループＧ４の各照明器具４０が特定照明器具４０Ｒとして設定される。
【００８５】
また、オフィスビルの他の部屋および廊下に設けられている各照明器具のうち、特定避難経路上にある照明器具も同様に特定照明器具として設定される。これにより、火災発生場所の部屋からオフィスビル外の避難場所までの避難経路が特定照明器具４０Ｒの点灯により示される。
【００８６】
図１０を参照して、「感度変更制御」について説明する。
以下では、オフィスビル内に人が存在する可能性が低い時間帯を「特定時間帯」とする。また、特定時間帯以外の時間帯を「通常時間帯」とする。ここでは、特定時間帯として夜間および休日が設定されている。
【００８７】
この「感度変更制御」では、各火災センサー７２のそれぞれについてステップＳ２１およびＳ２２の少なくとも一方の判定処理を個別に行う。そして、その結果に応じて以下の（処理Ａ）〜（処理Ｃ）のいずれかにより火災センサー７２の検出感度を「通常時間帯感度ＫＬ」または「特定時間帯感度ＫＨ」に設定する。特定時間帯感度ＫＨは、通常時間帯感度ＫＬよりも高い感度として設定されている。なお、特定時間帯感度ＫＨは検出感度Ｋ１に相当し、通常時間帯感度ＫＬは検出感度Ｋ２に相当する。
【００８８】
ステップＳ２１においては、現在の時刻が特定時間帯の時刻か否かを判定する。ステップＳ２２においては、人の活動状態が無人状態か否かを判定する。
（処理Ａ）ステップＳ２１において現在の時刻が通常時間帯の時刻の旨判定したとき、ステップＳ２４において火災センサー７２の検出感度を特定時間帯感度ＫＨから通常時間帯感度ＫＬに変更する。または、通常時間帯感度ＫＬの設定を維持する。
【００８９】
（処理Ｂ）ステップＳ２１において現在の時刻が特定時間帯の時刻の旨判定し、かつステップＳ２２において人の活動状態が有人状態の旨判定したとき、ステップＳ２４において火災センサー７２の検出感度を特定時間帯感度ＫＨから通常時間帯感度ＫＬに変更する。または、通常時間帯感度ＫＬの設定を維持する。
【００９０】
（処理Ｃ）ステップＳ２１において現在の時刻が特定時間帯の時刻の旨判定し、かつステップＳ２２において人の活動状態が無人状態の旨判定したとき、ステップＳ２３において火災センサー７２の検出感度を通常時間帯感度ＫＬから特定時間帯感度ＫＨに変更する。または、特定時間帯感度ＫＨの設定を維持する。
【００９１】
図１１を参照して、「感度変更制御」の流れについて説明する。
人感センサー６０は、人の活動状態が有人状態から無人状態に変化したことを検出したとき、自身のアドレスを含む監視情報ＤＭとしての無人検出情報ＤＰを制御コントローラー２０に送信する。制御コントローラー２０は、受信した無人検出情報ＤＰを上位コントローラー１３に送信する。上位コントローラー１３は、受信した無人検出情報ＤＰをサーバー１１に送信する。送信された無人検出情報ＤＰは、サーバー１１に記憶される。
【００９２】
サーバー１１は、現在の時刻が特定時間帯の時刻かつ人の活動状態が無人状態の旨判定したとき、記憶している無人検出情報ＤＰを呼び出す。次に、この無人検出情報ＤＰに含まれる人感センサー６０のアドレスに基づいて、同人感センサー６０の監視対象領域と同じ監視対象領域を有する火災警報器７０を割り出す。そして、割り出した火災警報器７０に対して感度変更情報ＤＵを生成し、この感度変更情報ＤＵを上位コントローラー１３に送信する。
【００９３】
上位コントローラー１３は、受信した感度変更情報ＤＵを制御コントローラー２０に送信する。制御コントローラー２０は、受信した感度変更情報ＤＵを含む伝送情報ＤＢを生成し、この情報ＤＢを伝送アダプター３０に送信する。伝送アダプター３０は、受信した伝送情報ＤＢに自身の下流の火災警報器７０のアドレスが含まれている旨判定したとき、伝送情報ＤＢから感度変更情報ＤＵを取り出し、感度変更情報ＤＵを対応する火災警報器７０に送信する。火災警報器７０は、感度変更情報ＤＵを受信したとき、検出感度を通常時間帯感度ＫＬから特定時間帯感度ＫＨに変更する。
【００９４】
図１２を参照して、「警報器診断制御」について説明する。
ステップＳ３１においては、火災警報器７０に問い合わせ情報ＤＱをＮ回送信する。
ステップＳ３２においては、問い合わせ情報ＤＱに対する正常受信情報ＤＡを１回以上にわたり受信したか否かを判定する。正常受信情報ＤＡを受信していない旨判定したとき、ステップＳ３３において火災警報器７０の異常フラグを設定する。
【００９５】
図１３を参照して、「警報器診断制御」の流れについて説明する。
サーバー１１は、火災警報器７０に対する問い合わせ情報ＤＱ生成し、この情報ＤＱを上位コントローラー１３に送信する。上位コントローラー１３は、受信した問い合わせ情報ＤＱを制御コントローラー２０に送信する。制御コントローラー２０は、問い合わせ情報ＤＱを含む伝送情報ＤＢを生成し、同伝送情報ＤＢを伝送アダプター３０に送信する。伝送アダプター３０は、受信した伝送情報ＤＢに自身の下流の火災警報器７０のアドレスが含まれている旨判定したとき、伝送情報ＤＢから問い合わせ情報ＤＱを取り出し、問い合わせ情報ＤＱを対応する火災警報器７０に送信する。伝送アダプター３０は、受信した問い合わせ情報ＤＱを対応する火災警報器７０に送信する。
【００９６】
火災警報器７０は、問い合わせ情報ＤＱを受信したとき、正常受信情報ＤＡを伝送アダプター３０に送信する。伝送アダプター３０は、受信した正常受信情報ＤＡを制御コントローラー２０に送信する。制御コントローラー２０は、受信した正常受信情報ＤＡを上位コントローラー１３に送信する。上位コントローラー１３は、受信した正常受信情報ＤＡをサーバー１１に送信する。
【００９７】
なお、サーバー１１は、問い合わせ情報ＤＱをＮ回送信した後において、所定期間が経過しても正常受信情報ＤＡを１度も受信できていない場合には、問い合わせ情報ＤＱを送信した火災警報器７０に対して異常フラグを設定する。
【００９８】
（実施形態の効果）
本実施形態の設備機器制御システム１によれば以下の効果が得られる。
（１）設備機器制御システム１には、複数の照明器具４０を個別に制御する上位制御ユニット１０が設けられている。そして、火災発生時において、火災センサー７２の出力に基づいて複数の照明器具４０が個別に制御される。この構成によれば、火災の発生態様等に応じて複数の照明器具４０が個別に制御されるため、火災発生時において人に対してより適切に情報を提供することができる。
【００９９】
（２）設備機器制御システム１においては、上位制御ユニット１０と伝送アダプター３０との間で複数の照明器具４０を制御するための情報の通信が行われる。この構成によれば、１つの伝送アダプター３０に対応する複数の照明器具４０の情報が同伝送アダプター３０に集約されるため、複数の照明器具４０と上位制御ユニット１０のとの間で直接的に情報の通信が行われる構成と比較して、上位制御ユニット１０に対する通信トラフィックを小さくすることができる。
【０１００】
（３）設備機器制御システム１においては、火災発生時の上位照明制御として、火元照明器具４０Ｆを動作させる照明制御が行われる。この構成によれば、火災発生時において人が火元を確認することに対して貢献することができる。
【０１０１】
（４）設備機器制御システム１においては、火災発生時の上位照明制御として、特定照明器具４０Ｒを動作させる照明制御が行われる。この構成によれば、火災発生時において人を特定避難経路により避難場所に案内することに対して貢献することができる。
【０１０２】
（５）設備機器制御システム１においては、一定期間が経過する毎に火災センサー７２を備える火災警報器７０の診断が行われる。この構成によれば、火災警報器７０の動作に異常が生じていることを適切に検出することができる。
【０１０３】
（６）設備機器制御システム１においては、複数の照明器具４０を一元的に管理する上位コントローラー１３が上位制御ユニット１０に設けられている。この構成によれば、複数の照明器具４０の動作状態を一括して把握することができる。
【０１０４】
（７）設備機器制御システム１においては、複数の単位制御グループＵが設けられている。また、複数の単位制御グループＵの制御コントローラー２０が上位コントローラー１３に対して並列接続されている。このため、制御コントローラー２０を１つだけ備えるとともに同コントローラー２０に対して全ての照明器具４０を接続する構成と比較して、１つの制御コントローラー２０の記憶容量を小さくすることができる。
【０１０５】
（８）設備機器制御システム１においては、通信機能を有する各照明器具４０と、各照明器具４０との間で情報を送受信する機能を有する制御コントローラー２０とが設けられている。
【０１０６】
この構成によれば、照明器具４０自体が通信機能を有しているため、照明器具４０の点灯状態の制御および動作状況の監視のために、照明器具４０とは別に通信機能を有する装置（例えばリレー制御端末器）を設ける必要がない。また、リレー制御端末器を設ける構成においては、分電盤内に配置されるリモコンリレーと照明器具４０との間の配線が必要となるため、レイアウトの変更にともない照明器具のグループ分けが変更されるときには配線の変更も必要となる。本実施形態の上記構成によれば、リレー制御端末器が不要となるため、各照明器具４０のグループ分けを容易に変更することができる。
【０１０７】
（第２実施形態）
図１４〜図１７を参照して、本発明の第２実施形態について説明する。
本実施形態の設備機器制御システム１は、第１実施形態の設備機器制御システム１の一部を次のように変更したものとして構成されている。すなわち、本実施形態の設備機器制御システム１においては、火災警報器７０に無線通信部７５が設けられている。また、この無線通信部７５と通信する受信機８０が伝送線Ｌ５上に設けられている。また、伝送アダプター３０に設備マップが記憶されている。また、第１実施形態においてはサーバー１１により「火災時個別点灯制御」が行われるが、本実施形態においては伝送アダプター３０により「火災時個別点灯制御」が行われる。
【０１０８】
以下、この変更された部分についての詳細を示す。なお、その他の点については第１実施形態と同様の構成が採用されているため、共通する構成については同一の符号を付してその説明の一部または全部を適宜省略する。
【０１０９】
図１４に示されるように、伝送アダプター３０に接続された１つの単位設備系統においては、１つの火災警報器７０と各照明器具４０のそれぞれとの間で無線通信により信号の送受信が行われる。
【０１１０】
図１５を参照して、火災警報器７０の構成について説明する。
火災警報器７０には、信号処理部７１、火災センサー７２、火災報知部７３、および無線通信部７５が設けられている。
【０１１１】
信号処理部７１は、入力される信号に基づいて各種の制御を行う。火災センサー７２は、火災を検出したとき、火災検出情報ＤＦを受信機８０に送信する。無線通信部７５は、受信機８０との間で無線通信を行う。
【０１１２】
図１６を参照して、受信機８０の構成について説明する。
受信機８０には、信号処理部８１、ＤＡＬＩ通信部８２、および無線通信部８３が設けられている。
【０１１３】
信号処理部８１は、入力された信号に基づいて各種の制御を行う。ＤＡＬＩ通信部８２は、伝送アダプター３０との間でＤＡＬＩ規格に基づく通信を行う。無線通信部８３は、火災警報器７０の無線通信部７５との間で無線通信を行う。
【０１１４】
図１７を参照して、「火災時個別点灯制御」の流れについて説明する。
火災警報器７０は、火災センサー７２により火災を検出したとき、自身のアドレスを含む火災検出情報ＤＦを受信機８０に送信する。受信機８０は、受信した火災検出情報ＤＦを伝送アダプター３０に送信する。
【０１１５】
伝送アダプター３０は、受信した火災検出情報ＤＦに含まれる火災警報器７０のアドレスと設備マップとに基づいて、火元照明器具４０Ｆを設定する。すなわち、火災を検出した火災警報器７０の監視対象領域を特定し、この監視対象領域に対応した照明領域を有する照明器具４０を火元照明器具４０Ｆとして設定する。そして、設定した火元照明器具４０Ｆに対する火元照明制御情報ＤＥを生成し、この情報ＤＥを対応する照明器具４０に送信する。
【０１１６】
火元照明器具４０Ｆは、受信した火元照明制御情報ＤＥに基づいてランプ４２を点滅させる。なお、ランプ４２の点滅は、管理者により点滅を停止するための端末操作が行われるまで継続される。
【０１１７】
（実施形態の効果）
本実施形態の設備機器制御システム１によれば、第１実施形態の（１）〜（８）の効果に加えて、以下の（９）の効果が得られる。
【０１１８】
（９）設備機器制御システム１においては、火災センサー７２の出力が伝送アダプター３０と複数の照明器具４０との間に設けられた受信機８０により受信される。また、伝送アダプター３０が火災センサー７２の出力に基づいて複数の照明器具４０を個別に制御する。
【０１１９】
この構成によれば、火災センサー７２の出力に基づく複数の照明器具４０の制御についてはサーバー１１および上位コントローラー１３および制御コントローラー２０を介することなく伝送アダプター３０により行われる。このため、火災発生時においてサーバー１１および上位コントローラー１３および制御コントローラー２０のいずれかに異常が生じたとしても照明器具４０の制御により火災発生時において人に対してより適切に情報を提供することができる。
【０１２０】
（第３実施形態）
図１８〜図２０を参照して、本発明の第３実施形態について説明する。
本実施形態の設備機器制御システム１は、第２実施形態の設備機器制御システム１の一部を次のように変更したものとして構成されている。すなわち、本実施形態の設備機器制御システム１においては、第２実施形態から受信機８０を省略するとともに照明器具４０内に無線通信部４６を設けた構成が採用されている。また、第２実施形態においては伝送アダプター３０により火元照明制御情報ＤＥが生成されるが、本実施形態においては照明器具４０により火元照明制御情報ＤＥが生成される。また、第２実施形態においては伝送アダプター３０により「火災時個別点灯制御」が行われるが、本実施形態においては照明器具４０により「火災時個別点灯制御」が行われる。
【０１２１】
以下、この変更された部分についての詳細を示す。なお、その他の点については第２実施形態と同様の構成が採用されているため、共通する構成については同一の符号を付してその説明の一部または全部を適宜省略する。
【０１２２】
図１８に示されるように、伝送アダプター３０に接続された１つの単位設備系統においては、１つの火災警報器７０と各照明器具４０のそれぞれとの間で無線通信により信号の送受信が行われる。
【０１２３】
図１９を参照して、照明器具４０および火災警報器７０の構成について説明する。
照明器具４０には、信号処理部４１、ランプ４２、点灯回路部４３、ＤＡＬＩ通信部４４、電源回路部４５、および無線通信部４６が設けられている。
【０１２４】
信号処理部４１は、入力された信号に基づいて各種の制御を行う。ランプ４２は、蛍光ランプにより構成されている。点灯回路部４３は、ランプ４２を点灯させるバラストを有する。無線通信部４６は、火災警報器７０との間で無線通信を行う。
【０１２５】
火災警報器７０には、第２実施形態の火災警報器７０と同様に無線通信部７５が設けられている。無線通信部７５は、火災の発生を検出したとき、対応する単位設備系統の各照明器具４０の無線通信部４６に対して火災検出情報ＤＦを送信する。信号処理部４１は、受信した火災検出情報ＤＦに基づいて、自身のランプ４２を点滅させる火元照明制御情報ＤＥを生成して点灯回路部４３に送信する。点灯回路部４３は、受信した情報ＤＥに基づいてランプ４２を点滅させる。なお、ランプ４２の点滅は、管理者により点滅を停止するための端末操作が行われるまで継続される。
【０１２６】
図２０を参照して、「火災時個別点灯制御」の実行態様について説明する。
火災警報器７０は、火災センサー７２により火災が検出されたとき、火災検出情報ＤＦを照明器具４０に送信する。照明器具４０は、受信した火災検出情報ＤＦに基づいてランプ４２を点滅させる。
【０１２７】
（実施形態の効果）
本実施形態の設備機器制御システム１によれば、第１実施形態の（１）〜（８）の効果に加えて、以下の（１０）の効果が得られる。
【０１２８】
（１０）設備機器制御システム１においては、火災センサー７２の出力が複数の照明器具４０のそれぞれにより受信される。また、火災発生時においては、複数の照明器具４０の少なくとも１つが火災センサー７２の出力に基づいて複数の照明器具４０の少なくとも１つを個別に制御する。
【０１２９】
この構成によれば、火災センサー７２の出力に基づく複数の照明器具４０の動作については上位制御ユニット１０を介することなく照明器具４０毎に行われるため、火災発生時において上位制御ユニット１０に異常が生じたとしても照明器具４０の動作により火災発生時において人に対してより適切に情報を提供することができる。
【０１３０】
（その他の実施形態）
なお、本発明の実施態様は上記各実施形態に限られるものではなく、例えば以下に示すように変更することもできる。また以下の各変形例は、上記各実施形態についてのみ適用されるものではなく、異なる変形例同士を互いに組み合わせて実施することもできる。
【０１３１】
・上記第１実施形態では、伝送線Ｌ５上に火災警報器７０を設けているが、伝送線Ｌ３上に火災警報器７０を設けることもできる。この場合、火災警報器７０が伝送線Ｌ３により制御コントローラー２０および伝送アダプター３０に接続される。また、火災警報器７０においては、ＤＡＬＩ通信部７４に代えて多重伝送通信部が設けられる。
【０１３２】
・上記第１実施形態では、サーバー１１が「火災時個別点灯制御」を行う構成を用いているが、設備機器制御システム１に設けられるサーバー１１とは別の機器が「火災時個別点灯制御」を行う構成に変更することもできる。例えば、パーソナルコンピューター１２、上位コントローラー１３、制御コントローラー２０、照明スイッチ５０、および人感センサー６０の少なくとも１つにより「火災時個別点灯制御」を行うこともできる。
【０１３３】
・上記第１実施形態では、火災警報器７０のアドレスに基づいて特定照明器具４０Ｒを設定したが、火災警報器７０および人感センサー６０のアドレスに基づいて特定照明器具４０Ｒを設定することもできる。また、火災警報器７０のアドレスに代えて人感センサー６０のアドレスに基づいて特定照明器具４０Ｒを設定することもできる。この場合、火災発生時において人の存在を検出している人感センサー６０のアドレスを割り出し、このセンサー６０の監視対象領域と同一の照明領域を有する照明器具４０を特定照明器具４０Ｒとして設定する。
【０１３４】
・上記第１実施形態では、制御コントローラー２０と各照明器具４０との間に伝送アダプター３０を設けているが、伝送アダプター３０を省略することもできる。この場合には、制御コントローラー２０と各照明器具４０とが情報伝達機器を介することなく互いに接続される。
【０１３５】
・上記第２実施形態では、火災警報器７０と受信機８０とが無線通信により互いに情報の送受信を行う構成を採用しているが、火災警報器７０と受信機８０とを伝送線により互いに接続することもできる。
【０１３６】
・上記第３実施形態では、火災警報器７０と照明器具４０とが無線通信により互いに情報の送受信を行う構成を採用しているが、火災警報器７０と照明器具４０とを伝送線により互いに接続することもできる。
【０１３７】
・上記第３実施形態では、火災検出情報ＤＦを受信した照明器具４０が下位照明制御として自身の点灯状態を制御する構成を採用しているが、下位照明制御の内容を次のように変更することもできる。すなわち、火災検出情報ＤＦを受信した照明器具４０が火災検出情報ＤＦに基づいて他の照明器具４０を制御することもできる。
【０１３８】
具体的には、火災検出情報ＤＦを受信した照明器具４０は、同じ伝送線Ｌ５に接続される他の照明器具４０のなかに特定照明器具４０Ｒとして設定可能なものがあるか否かを判定し、設定可能なものがある旨判定したときには該当する照明器具４０を特定照明器具４０Ｒとして設定する。そして、この特定照明器具４０Ｒに対して特定照明制御情報ＤＲを送信する。
【０１３９】
・上記第３実施形態では、上位制御ユニット１０にサーバー１１を設けているが、サーバー１１を省略することもできる。この場合には、上位コントローラー１３、制御コントローラー２０、および伝送アダプター３０の少なくとも１つがサーバー１１に代わり各制御を行う。
【０１４０】
・上記各実施形態では、サーバー１１または伝送アダプター３０または照明器具４０が「火災時個別点灯制御」を行う構成を採用しているが、サーバー１１、伝送アダプター３０、および照明器具４０の少なくとも２つにより「火災時個別点灯制御」を並行して行うこともできる。
【０１４１】
・上記各実施形態では、「感度変更制御」のステップＳ２１およびＳ２２（図１０参照）の条件に基づいて、火災センサー７２の検出感度を変更しているが、検出感度を変更するための条件を例えば次のように変更することもできる。
【０１４２】
すなわち、無人状態が所定時間ＴＸ以上にわたり継続されている状態を長期無人状態とし、無人状態が継続されている時間が所定時間ＴＸ未満の状態を短期無人状態として、人感センサー６０の出力に基づいて人の活動状態を判定する。そして、長期無人状態のときには、火災センサー７２の検出感度を検出感度ＫＡに設定する。また、短期無人状態のときには、火災センサー７２の検出感度を検出感度ＫＡよりも低い検出感度ＫＢに設定する。また、有人状態のときには、火災センサー７２の検出感度を検出感度ＫＡおよび検出感度ＫＢよりも低い検出感度ＫＣに設定する。なお、検出感度ＫＢおよび検出感度ＫＣを同じ高さの検出感度に設定することもできる。
【０１４３】
・上記各実施形態では、人感センサー６０の出力に基づいて火災センサー７２の検出機能を変更する制御として、火災センサー７２の検出感度を変更する制御を採用しているが、この制御に代えて次の制御を採用することもできる。
【０１４４】
すなわち、無人状態のときに火災センサー７２の検出機能をオンに設定し、有人状態のときに火災センサー７２の検出機能をオフに設定する。この構成によれば、例えば厨房等のように有人状態のときに熱や煙の発生しやすい場所に設けられる火災警報器７０について、同警報器７０が火災以外により発生した煙等を火災発生として検出する頻度が低減される。
【０１４５】
・上記各実施形態では、監視対象領域を有する人感センサー６０および火災センサー７２において、人感センサー６０の出力に基づいて火災センサー７２を制御しているが、火災センサー７２の制御を次のように変更することもできる。すなわち、火災センサー７２とは監視対象領域が異なる人感センサー６０の出力も含めて火災センサー７２の検出感度を変更することもできる。
【０１４６】
例えば、図９の第２大グループＨ２に含まれる人感センサー６０の出力が無人状態を示し、かつ第３大グループＨ３に含まれる人感センサー６０の出力が有人状態を示しているときを想定する。このとき、第３大グループＨ３に存在している人の活動が第２大グループＨ２に含まれる火災警報器７０の火災センサー７２に影響することが考えられる。このため、第２大グループＨ２に含まれる火災警報器７０の火災センサー７２の検出感度を通常時間帯感度ＫＬに設定する。
【０１４７】
・上記各実施形態では、各通信部５１，６１から監視情報ＤＭが送信されたとき、制御コントローラー２０により対応する照明器具４０を個別に制御する構成を用いているが、照明器具４０の制御態様を次のように変更することもできる。すなわち、各通信部５１，６１から監視情報ＤＭが送信されたとき、サーバー１１により対応する照明器具４０を個別に制御することもできる。
【０１４８】
・上記各実施形態では、火災センサー７２と火災報知部７３とが一体化された火災警報器７０を用いているが、この火災警報器７０に代えて、火災センサー７２と火災報知部７３とが互いに独立した火災報知機を用いることもできる。
【０１４９】
・上記各実施形態では、火災センサー７２として煙検出方式のものを用いているが、これに代えてまたは加えて熱検出式の火災センサーを用いることもできる。
・上記各実施形態では、照明器具４０として蛍光ランプにより構成されたランプ４２を有するものを用いているが、発光ダイオードにより構成されるランプを有する照明器具に変更することもできる。
【０１５０】
・上記各実施形態では、上位コントローラー１３と各伝送アダプター３０との間に制御コントローラー２０を設けているが、制御コントローラー２０を省略することもできる。この場合には、上位コントローラー１３と各伝送アダプター３０とが情報伝達機器を介することなく互いに接続される。
【０１５１】
・上記各実施形態では、上位制御ユニット１０に上位コントローラー１３を設けているが、上位コントローラー１３を省略することもできる。この場合には、サーバー１１およびパーソナルコンピューター１２と制御コントローラー２０とが情報伝達機器を介することなく互いに接続することもできる。
【符号の説明】
【０１５２】
１…設備機器制御システム、１０…上位制御ユニット、１１…サーバー、２０…制御コントローラー、３０…伝送アダプター、４０…照明器具、４０Ｆ…火元照明器具、４０Ｒ…特定照明器具、６０…人感センサー、７２…火災センサー、８０…受信機。
【図１】
0005988126.tif 000002
【図２】
0005988126.tif 000003
【図３】
0005988126.tif 000004
【図４】
0005988126.tif 000005
【図５】
0005988126.tif 000006
【図６】
0005988126.tif 000007
【図７】
0005988126.tif 000008
【図８】
0005988126.tif 000009
【図１０】
0005988126.tif 000010
【図１１】
0005988126.tif 000011
【図１２】
0005988126.tif 000012
【図１３】
0005988126.tif 000013
【図１４】
0005988126.tif 000014
【図１５】
0005988126.tif 000015
【図１６】
0005988126.tif 000016
【図１７】
0005988126.tif 000017
【図１８】
0005988126.tif 000018
【図２０】
0005988126.tif 000019
【図９】
0005988126.tif 000020
【図１９】
0005988126.tif 000021